(57)【要約】【課題】  噴射ヘッドから消火ガスを放出した際に、消音装置の内部に充填されている吸音材の飛散を防止できるようにした消音機能を有する噴射ヘッドを得る。【解決手段】  高圧の消火ガスを噴射するノズル部３に、内部に線材を編み込んで作成したメッシュ材からなる吸音材６を充填した消音部７を備えた消音機能を有する噴射ヘッド１において、消音部７に充填された吸音材６となるメッシュ材を、一本或いは複数本の線材で、少なくとも縦糸となる線材或いは横糸となる線材のいずれかを一本の線材で編み込んで作成することにより、吸音材６がノズル部３から噴射される高圧の消火ガス流を受けても、吸音材６となるメッシュ材を構成する一本の線材からなる縦糸となる線材或いは横糸となる線材が編み込みの解れを抑えるようにした。【選択図】    図１
2014028002.tif 000002
【特許請求の範囲】
【請求項１】
高圧の消火ガスを噴射するノズル部に、内部に線材を編み込んで作成したメッシュ材からなる吸音材を充填した消音部を備えた消音機能を有する噴射ヘッドにおいて、
前記消音部に充填された吸音材となるメッシュ材は、一本或いは複数本の線材で、少なくとも縦糸となる線材或いは横糸となる線材のいずれかを一本の線材で編み込んで作成されたものであることを特徴とする消音機能を有する噴射ヘッド。
【請求項２】
前記メッシュ材は一本の線材をメリヤス織りに編み込んで作成されたものであることを特徴とする請求項１に記載の消音機能を有する噴射ヘッド。
【発明の詳細な説明】
【技術分野】
【０００１】
本発明は、火災発生時に、建物の消火対象区画内に消火ガスを放出するために天井や壁等に設置されるガス系消火設備用の消音機能を有する噴射ヘッドに関する。
【背景技術】
【０００２】
各種の建物に、二酸化炭素ガスや窒素ガス等の消火ガスを消火対象区画内に放出して消火対象区画内の酸素濃度を低下させることによって消火を行うガス系消火設備が装備され、消火ガスを供給する配管に接続された噴射ヘッドが消火対象区画内の天井や壁等に設置されており、火災発生時に消火ガスを消火対象区画内に放出するようにしている。
前記噴射ヘッドから放出される消火ガスは、高圧で大量に放出されるため、噴射ヘッドから放出される消火ガス流により大音響が発生する。この音響を減衰させるため、従来から、噴射ヘッド本体に消音装置を備えた消音機能を有する噴射ヘッドがあり、消音装置として内部に、グラスウール、ロックウール、スチールウールの様な細かい繊維を集積したものからなる吸音材を充填したものがある（例えば、特許文献１）。
【先行技術文献】
【特許文献】
【０００３】
【特許文献１】特開２０１１−１２５６７３号公報
【発明の概要】
【発明が解決しようとする課題】
【０００４】
上記の構造を有する消音機能を有する噴射ヘッドは、噴射ヘッドから大量に放出される高圧の消火ガス流により消音装置の内部に充填されているグラスウール、ロックウール、スチールウールの様な細かい繊維を集積した吸音材が解れ、消火ガスとともに吸音材の解れた細かい繊維が放出され消火対象区画内に飛散するといった問題があった。
【０００５】
本発明の目的は、噴射ヘッドから消火ガスを放出した際に、消音装置の内部に充填されている吸音材の飛散を防止できるようにした消音機能を有する噴射ヘッドを提供することにある。
【課題を解決するための手段】
【０００６】
上記の目的を達成するために、請求項１に記載の発明は、高圧の消火ガスを噴射するノズル部に、内部に線材を編み込んで作成したメッシュ材からなる吸音材を充填した消音部を備えた消音機能を有する噴射ヘッドにおいて、前記消音部に充填された吸音材となるメッシュ材は、一本或いは複数本の線材で、少なくとも縦糸となる線材或いは横糸となる線材のいずれかを一本の線材で編み込んで作成されたものであることを特徴とする。
【０００７】
請求項２に記載の発明は、請求項１に記載の、前記メッシュ材は一本の線材をメリヤス織りに編み込んで作成されたものであることを特徴とする。
【発明の効果】
【０００８】
請求項１に記載の消音機能を有する噴射ヘッドによれば、前記消音部に充填された吸音材となるメッシュ材は、一本或いは複数本の線材で、少なくとも縦糸となる線材或いは横糸となる線材のいずれかを一本の線材で編み込んで作成されたものであるので、吸音材がノズル部から大量に噴射される高圧の消火ガス流を受けても、吸音材となるメッシュ材を構成する一本の線材からなる縦糸となる線材或いは横糸となる線材が編み込みの解れを抑えるので、噴射ヘッドから消火ガスを放出した際に、消音部の内部に充填されている吸音材となるメッシュ材を構成する線材が消火ガスとともに放出され消火対象区画内に飛散するといったことを防止することができる。
【０００９】
請求項２に記載の消音機能を有する噴射ヘッドによれば、請求項１に記載の、前記メッシュ材は一本の線材をメリヤス織りに編み込んで作成されたものであるので、前記メッシュ材の端部に至るまで解れ難く、噴射ヘッドから消火ガスを放出した際に、消音部の内部に充填されている吸音材となるメッシュ材を構成する線材が消火ガスとともに放出され消火対象区画内に飛散するといったことをより効果的に防止することができる。
【図面の簡単な説明】
【００１０】
【図１】本発明に係る消音機能を有する噴射ヘッドの実施の形態の一例を示す断面図である。
【図２】図１の左側面図である。
【図３】本発明で使用される吸音材の一例を示す概略構成説明図である。
【図４】本発明で使用される吸音材の他例を示す概略構成説明図である。
【発明を実施するための形態】
【００１１】
以下、本発明に係る消音機能を有する噴射ヘッドの実施の形態を、図面に示す実施例を参照して詳細に説明する。
図１は本発明に係る消音機能を有する噴射ヘッドの実施の形態の一例を示す断面図、図２は図１の左側面図、図３は本発明で使用される吸音材の一例を示す概略構成説明図、図４は本発明で使用される吸音材の他例を示す概略構成説明図である。
【００１２】
本例の消音機能を有する噴射ヘッド１は、消火ガスを供給する配管２に接続され、高圧の消火ガスを噴射するノズル部３と、内部に線材４を編み込んで作成したメッシュ材５からなる吸音材６を充填した消音部７を備えている。
【００１３】
ノズル部３は、有底円筒状体に形成され、筒壁には高圧の消火ガスを噴射する噴射孔８が形成されている。このように構成されたノズル部３は、その開口部が配管２の端部開口部と連通するように、口金９で配管２の端部に気密的に接続している。口金９は内周にねじ部が形成されており、ノズル部３の開口部側外周および配管２の端部開口部側外周に形成されたねじ部に螺合することによりノズル部３と配管２を接続する構成となっている。
【００１４】
消音部７は、ノズル部３より大径で、吸音材６の充填に必要な容積を有する有底円筒状の収容体１０と、収容体１０内に充填された吸音材６とで構成されている。収容体１０の底壁１０ａの中央には、ノズル部３を挿入する挿入口１１が形成され、この挿入口１１にノズル部３が挿入され、収容体１０とノズル部３が気密的に相互に固定されている。
【００１５】
本例では、ノズル部３はその外径が、底側の外周が大径の大径筒部３ａ、開口部側の外周が小径の小径筒部３ｂとなっており、大径筒部３ａに噴射孔８が形成されており、また、小径筒部３ｂの外周に前記口金９と螺合するねじ部が形成されている。そして、収容体１０の底壁１０ａの中央に形成された挿入口１１にあっては、小径筒部３ｂより大径で大径筒部３ａより小径に形成され、挿入口１１にノズル部３の小径筒部３ｂを挿入した収容体１０の底壁１０ａを、ノズル部３の大径筒部３ａと小径筒部３ｂとの間に形成される段部と小径筒部３ｂに螺合した口金９の端部で挟持することにより収容体１０とノズル部３を固定している。
【００１６】
消音部７の収容体１０内に充填される、線材４を編み込んで作成したメッシュ材５からなる吸音材６は、一本或いは複数本の線材４で、少なくとも縦糸Ａとなる線材４或いは横糸Ｂなる線材４のいずれかを一本の線材４で編み込んで作成されている。
本例では、図３に示すように、メッシュ材５は一本の線材をメリヤス織りに編み込んで作成されたものであるが、図４に示すように、横糸Ｂとなる線材４が一本の線材４で編み込んで作成されてもよく、また、縦糸Ａとなる線材４が一本の線材４で編み込んで作成されてもよい。
【００１７】
前記メッシュ材５からなる吸音材６は、消音部７の収容体１０内に挿入されたノズル部３の外周に巻き付けるようにして収容体１０内に充填されている。内部に吸音材６を充填した消音部７の収容体１０の開口部には、消火ガスを放出する放出孔１２を形成した蓋体１３が設けられている。本例では、蓋体１３はパンチングメタル１４とパンチングメタル１４を支持する枠部１５とで構成され、枠部１５を収容体１０の開口部に形成されたフランジ部１６にボルト１７で固定している。
また、本例ではノズル部３の内周に吸音材１８が設けられている。この吸音材１８としては、前記消音部７の収容体１０内に充填される吸音材６と同様のメッシュ材５が使用されている。
【００１８】
このように構成された本例の消音機能を有する噴射ヘッド１によれば、消火ガスの放出に際し、消火ガスを供給する配管２からノズル部３へ流入した高圧の消火ガスは、ノズル部３の大径筒部３ａに形成した噴射孔８から消音部７の収容体１０内に噴射し、消音部７の収容体１０内に充填されている吸音材６を通過して収容体１０の開口部を覆っている蓋体１３に形成された放出孔１２から外部へ放出される。
【００１９】
このとき、消音部７の収容体１０内に充填されている吸音材６は、ノズル部３の噴射孔８から大量に噴射される高圧の消火ガス流を受けるが、吸音材６となるメッシュ材５は、一本或いは複数本の線材４で、少なくとも縦糸Ａとなる線材４或いは横糸Ｂとなる線材４のいずれかを一本の線材４で編み込んで作成されたものであるので、吸音材６がノズル部３から大量に放出される高圧の消火ガス流を受けても、吸音材６となるメッシュ材６を構成する一本の線材４からなる縦糸Ａとなる線材４或いは横糸Ｂとなる線材４が編み込みの解れを抑えるので、噴射ヘッド１から消火ガスを放出した際に、消音部７の収容体１０内部に充填されている吸音材６となるメッシュ材５を構成する線材４が消火ガスとともに放出され消火対象区画内に飛散するといったことが防止される。
【００２０】
本例では、吸音材６となるメッシュ材５は一本の線材４をメリヤス織りに編み込んで作成されたものであるので、メッシュ材５の端部に至るまで解れ難く、噴射ヘッド１から消火ガスを放出した際に、消音部７の内部に充填されている吸音材６となるメッシュ材５を構成する線材４が消火ガスとともに放出され消火対象区画内に飛散するといったことをより効果的に防止することができる。
【符号の説明】
【００２１】
１  噴射ヘッド
２  配管
３  ノズル部
３ａ  大径筒部
３ｂ  小径筒部
４  線材
５  メッシュ材
６  吸音材
７  消音部
８  噴射孔
９  口金
１０  収容体
１０ａ  底壁
１１  挿入口
１２  放出孔
１３  蓋体
１４  パンチングメタル
１５  枠部
１６  フランジ部
１７  ボルト  
１８  吸音材
【図１】
2014028002.tif 000003
【図２】
2014028002.tif 000004
【図３】
2014028002.tif 000005
【図４】
2014028002.tif 000006